(57)【要約】      （修正有）【課題】ワイヤレス遠距離リモコンのコード上スイッチを提供する。【解決手段】ワイヤレス遠距離リモコンのコード上スイッチは下殼体１０、回路デバイス２０及び上蓋体３０により組成される。回路デバイス２０は回路基板２１上に電子パーツを設置し回路を構成し、回路基板２１の両端上にそれぞれコードセット２２、２３を接続して組成する。その内の１本のコードセット２２の外端末端にはプラグ２２１を設置し、もう１本のコードセット２３の外端末端は電気を用いる物品と連接する。回路デバイス２０の回路基板２１は下殼体１０と上蓋体３０により覆われる。回路デバイス２０は手動コントロールにより２本のコードセット２２、２３間の電源を導通する回路メカニズム、及びワイヤレス遠距離リモコンシグナルを受け取ることで２本のコードセット２２、２３間の電源を導通するワイヤレス受信回路メカニズムを有するため、ダブルコントロール作用を備え操作を選択でき、こうしてコード上スイッチは使用においてより便利となる。【選択図】図２
0003211265.tif 000002
【実用新案登録請求の範囲】
【請求項１】
ワイヤレス遠距離リモコンのコード上スイッチであって、下殼体、回路デバイス及び上蓋体により組成され、
前記下殼体は、槽状物件を呈し、両側端面の中央位置には、それぞれ凹穴を開設し、前記各凹穴の内部両側には、貫通した穿孔をそれぞれ開設し、それぞれ結合部材により下から上へと通して設置し、
前記回路デバイスは、回路基板上に、電子パーツを設置し、回路を構成し、前記回路基板の両端上に、それぞれコードセットを接続して組成し、
前記コードセットはどれも、前記回路基板上の回路との間に、電気的連接関係を備え、前記２本のコードセット間の導通或いは非導通は、前記回路基板上の回路の制御を受け、前記コードセットはどれも、外へと適当な長さを延伸し、その内の１本のコードセットの外端末端には、プラグを設置し、もう１本のコードセットの外端末端は、電気を用いる物品と連接し、前記回路デバイスは、手動コントロールにより、２本のコードセット間の電源を導通する回路メカニズムを有し、及びワイヤレス遠距離リモコンシグナルを受け取ることで、２本のコードセット間の電源を導通するワイヤレス受信回路メカニズムを有し、  前記上蓋体は、蓋状物件で、周壁の底縁は、前記下殼体周壁の頂縁と対応して接続し、両側端面の中央位置には、前記下殼体の凹穴と一対一で対応する助圧片をそれぞれ設置し、各助圧片の内部両側には、前記下殼体の穿孔と一対一で対応する孔柱をそれぞれ設置し、前記上蓋体の頂面壁体上には、手動コントロールボタンを設置し、
組み立て時には、前記回路デバイスの回路基板部位は、上から下へと前記下殼体の内部空間内に均等に入れられ、前記回路デバイス両端に接続するコードセットは、前記下殼体両端の凹穴内にそれぞれ収容され停留し、前記コードセットの各１本のコードは、前記凹穴を通過後すべて内側面へと、対応する穿孔周辺を巡り、ループ状態を形成し、続いて前記上蓋体で前記下殼体に蓋をし、これにより前記上蓋体周壁の底縁と前記下殼体周壁の頂縁とは対応して接続し、同時に前記上蓋体の助圧片は、前記コードセットにそれぞれ対応密着して押さえ、同時に前記上蓋体の各孔柱はすべて、前記下殼体の穿孔に対応して接続し、さらに前記結合部材を一対一で前記下殼体の穿孔に通して設置し、前記上蓋体上の対応する孔柱と結合することを特徴とするワイヤレス遠距離リモコンのコード上スイッチ。
【請求項２】
前記下殼体内部空間には、若干の受け止め柱を設置し、これにより前記回路デバイスの回路基板部位を支えることを特徴とする請求項１に記載のワイヤレス遠距離リモコンのコード上スイッチ。
【請求項３】
前記下殼体の各穿孔の外側にはすべて、サポート柱を設置し、
前記上蓋体の各孔柱の外側にはすべて、前記下殼体のサポート柱と一対一で対応し、並んで直立するサポート柱を設置することを特徴とする請求項１に記載のワイヤレス遠距離リモコンのコード上スイッチ。
【請求項４】
前記上蓋体内部空間の両側に近い周壁位置には、若干の受け止め位置制限柱をそれぞれ設置し、
前記上蓋体で前記下殼体に蓋をする時、前記上蓋体の多数の受け止め位置制限柱は、前記下殼体の空間範囲内に進入し、両側から前記回路基板を支えることを特徴とする請求項１に記載のワイヤレス遠距離リモコンのコード上スイッチ。
【請求項５】
前記上蓋体の助圧片の中心には、区画棒状突起をさらに有し、
前記上蓋体で前記下殼体に蓋をする時、前記区画棒状突起は、２本のコードが密着する凹位置にちょうど入ることを特徴とする請求項１に記載のワイヤレス遠距離リモコンのコード上スイッチ。
【請求項６】
前記上蓋体の助圧片の内側のわずかな距離を相互に隔てた位置には、係止片を設置し、  前記上蓋体で前記下殼体に蓋をする時、前記係止片は、前記コードセットの屈折位置をちょうどそれぞれ対応して係止することを特徴とする請求項１に記載のワイヤレス遠距離リモコンのコード上スイッチ。
【考案の詳細な説明】
【技術分野】
【０００１】
本考案はコード上スイッチに関し、特に既存の手動コントロール作用を保留するほか、ワイヤレス遠距離リモコンの作用をも備えるコード上スイッチに関する。
【背景技術】
【０００２】
電気を用いる従来の物品（照明設備など）の中には、本体にスイッチを設置してないため、「コード上スイッチ」と連接し、コード上スイッチを、電気を用いる物品を用いる際のスイッチとするものがある。
従来のコード上スイッチは、本体及び本体と連接する２組のコードにより組成される。
本体上には、手動コントロールボタンを設置し、２組のコードは、それぞれ本体両端から延伸して出る。
各組のコードはどれも２本のコードを有し、その内の一組のコードと電気を用いる物品とは連接し、もう一組のコードの末端には一般にプラグを設置し、壁上或いは延長コード上のコンセントに挿入して設置し、電源を導入する。
使用時には、手動コントロールボタンを押す或いは回す或いはスライドさせることで、２組のコード間の電力を導通或いは非導通し、電気を用いる物品の作用をオン或いはオフする。
電気を用いる物品は、照明設備である時には、コード上スイッチ上で、スイッチ部材を操作することで、照明設備の点灯或いは消灯を制御できる。
【０００３】
従来のコード上スイッチは、純手動コントロールのスイッチ物品ということができる。
使用時には、本体上に設置されるスイッチ部材に、指で必ず接触しなければ、連接されている電気を用いる物品をコントロールすることはできない。
そのため、使用者がもし指でスイッチ部材に触れられなければ、コントロールすることは完全にできない。
すなわち、従来のコード上スイッチは、ワイヤレス遠距離リモコン操作を行うことはできない。
【０００４】
しかし、インターネットが発達した現代、コード上スイッチに改良を加え、既存の手動コントロール作用を保留しながら、ワイヤレス遠距離リモコンのコントロール作用をも備えることができれば、コード上スイッチは使用においてさらに便利となる。
【考案の概要】
【考案が解決しようとする課題】
【０００５】
前記先行技術には、使用時に本体上に設置されるスイッチ部材に、指で必ず接触しなければ、連接されている電気を用いる物品をコントロールすることはできないという欠点がある。
【課題を解決するための手段】
【０００６】
本考案はダブルコントロール作用を備え操作を選択可能なワイヤレス遠距離リモコンのコード上スイッチで、また既存の手動コントロール作用を保留するほか、ワイヤレス遠距離リモコン作用をも備えるコード上スイッチに関する。
【０００７】
本考案によるワイヤレス遠距離リモコンのコード上スイッチは、下殼体、回路デバイス及び上蓋体により組成される。
該下殼体は、槽状物件を呈し、両側端面の中央位置には、それぞれ凹穴を開設する。
各凹穴の内部両側には、貫通した穿孔をそれぞれ開設し、それぞれ結合部材により下から上へと通して設置する。
該回路デバイスは、回路基板上に、電子パーツを設置し、回路を構成し、該回路基板の両端上に、それぞれコードセットを接続して組成する。
該コードセットはどれも、該回路基板上の回路との間に、電気的連接関係を備える。
２本のコードセット間の導通（ＣＬＯＳＥ）或いは非導通（ＯＰＥＮ）は、該回路基板上の回路の制御を受ける。
該コードセットはどれも、外へと適当な長さを延伸し、その内の１本のコードセットの外端末端には、プラグを設置し、もう１本のコードセットの外端末端は、電気を用いる物品と連接する。
該回路デバイスは、手動コントロールにより、２本のコードセット間の電源を導通する回路メカニズムを有し、及びワイヤレス遠距離リモコンシグナルを受け取ることで、２本のコードセット間の電源を導通するワイヤレス受信回路メカニズムを有する。
該上蓋体は、蓋状物件で、周壁の底縁は、該下殼体周壁の頂縁と対応して接続し、両側端面の中央位置には、該下殼体の凹穴と一対一で対応する助圧片をそれぞれ設置し、各助圧片の内部両側には、該下殼体の穿孔と一対一で対応する孔柱をそれぞれ設置し、該上蓋体の頂面壁体上には、手動コントロールボタンを設置する。
組み立て時には、該回路デバイスの回路基板部位は、上から下へと該下殼体の内部空間内に均等に入れられ、該回路デバイス両端に接続するコードセットは、該下殼体両端の凹穴内にそれぞれ収容され停留する。
該コードセットの各１本のコードは、該凹穴を通過後、すべて内側面へと、対応する穿孔周辺を巡り、ループ状態を形成する。
続いて、該上蓋体で該下殼体に蓋をし、これにより該上蓋体周壁の底縁と該下殼体周壁の頂縁とは対応して接続し、同時に該上蓋体の助圧片は、該コードセットにそれぞれ対応密着して押さえ、同時に該上蓋体の各孔柱はすべて、該下殼体の穿孔に対応して接続し、さらに該結合部材を一対一で該下殼体の穿孔に通して設置し、該上蓋体上の対応する孔柱と結合する。
【０００８】
上記した本考案によるワイヤレス遠距離リモコンのコード上スイッチにおいて、該下殼体内部空間には、若干の受け止め柱を設置し、これにより該回路デバイスの回路基板部位を支える。
【０００９】
上記した本考案によるワイヤレス遠距離リモコンのコード上スイッチにおいて、該下殼体の各穿孔の外側にはすべて、サポート柱を設置し、該上蓋体の各孔柱の外側にはすべて、該下殼体のサポート柱と一対一で対応し、並んで直立するサポート柱を設置する。
【００１０】
上記した本考案によるワイヤレス遠距離リモコンのコード上スイッチにおいて、該上蓋体内部空間の両側に近い周壁位置には、若干の受け止め位置制限柱をそれぞれ設置し、該上蓋体で該下殼体に蓋をする時、該上蓋体の多数の受け止め位置制限柱は、該下殼体の空間範囲内に進入し、両側から該回路基板を支える。
【００１１】
上記した本考案によるワイヤレス遠距離リモコンのコード上スイッチにおいて、該上蓋体の助圧片の中心には、区画棒状突起をさらに有し、該上蓋体で該下殼体に蓋をする時、該区画棒状突起は、２本のコードが密着する凹位置にちょうど入る。
【００１２】
上記した本考案によるワイヤレス遠距離リモコンのコード上スイッチにおいて、該上蓋体の助圧片の内側のわずかな距離を相互に隔てた位置には、係止片を設置し、該上蓋体で該下殼体に蓋をする時、該係止片は、該コードセットの屈折位置をちょうどそれぞれ対応して係止する。
【考案の効果】
【００１３】
本考案のコード上スイッチはダブルコントロール作用を備え操作を選択でき、既存の手動コントロール作用を保留するほか、ワイヤレス遠距離リモコンの作用をも備えるため、コード上スイッチは使用においてより便利となり、こうして本考案の目的を完全に達成することができる。
【図面の簡単な説明】
【００１４】
【図１】本考案実施形態の立体図である。
【図２】本考案実施形態の立体分解図である。
【図３】本考案実施形態において上蓋体を裏返した状態を示す立体図である。
【図４】本考案実施形態の使用模式図である。
【図５】本考案実施形態の操作フローチャートである。
【考案を実施するための形態】
【００１５】
図１〜３に示す通り、本考案実施形態によるコード上スイッチ１の構造は、下殼体１０、回路デバイス２０及び上蓋体３０により組成される。
下殼体１０は、槽状物件を呈し、内部空間には、若干の受け止め柱１１を設置し、両側端面の中央位置には、それぞれ凹穴１２を開設する。
各凹穴１２の内部両側には、貫通した穿孔１３をそれぞれ開設し、それぞれ結合部材１３１（ボルトなど）により、下から上へと通して設置する。
各穿孔１３の外側には、サポート柱１４を設置する。
【００１６】
回路デバイス２０は、回路基板２１上に、若干の電子パーツを設置して構成する回路で、回路基板２１の両端上に、それぞれコードセット２２、２３を接続して組成する。
コードセット２２、２３はどれも、回路基板２１上の回路との間に、電気的連接関係を備える。
但し、２本のコードセット２２、２３間が、導通（ＣＬＯＳＥ）作用を呈するか、或いは非導通（ＯＰＥＮ）作用を呈するかは、回路基板２１上の回路の制御を受ける。
回路基板２１上の回路において、２本のコードセット２２、２３間に呈する導通或いは非導通作用は、使用者により操作される。
コードセット２２、２３はどれも、外へと適当な長さを延伸し、コードセット２２の外端末端には、プラグ２２１を設置する。
コードセット２３の外端末端は、離れており、回路デバイス２０は、手動コントロールにより、コードセット２２、２３間の電源を導通する回路メカニズムを備える他に、ワイヤレス遠距離リモコンシグナルを受け取ることで、コードセット２２、２３間の電源を導通するワイヤレス受信回路メカニズムをさらに備える。
【００１７】
図２、３に示す通り、上蓋体３０は、正常に置けば蓋状物件で、裏返せば槽状物件を呈し、周壁の底縁は、下殼体１０周壁の頂縁と対応して接続し、内部空間の両側に近い周壁位置には、若干の受け止め位置制限柱３１をそれぞれ設置し、両側端面の中央位置には、それぞれ助圧片３２を設置し、その中心には、区画棒状突起３２１をさらに有する。
各助圧片３２は、凹穴１２と一対一で対応し、各助圧片３２の内側のわずかな距離を相互に隔てた位置には、係止片３３をそれぞれ設置する。
各係止片３３の両側には、それぞれ孔柱３４を設置し、穿孔１３と一対一で対応する。
各孔柱３４の外側には、サポート柱１４を設置し、サポート柱１４と一対一で対応し、並んで直立する。
上蓋体３０の頂面壁体上には、手動コントロールボタン３６を設置する。
手動コントロールボタン３６は、プッシュ式コントロールボタン、或いはスライド（滑動）式コントロールボタン、或いは回す（回転）式コントロールボタンで、設置に制限はない。
但し、本考案中では、プッシュ式コントロールボタンを採用し、実施形態の説明及び図面とする。
【００１８】
組み立て時には、回路デバイス２０の回路基板２１部位を、上から下へと下殼体１０の内部空間内に均等に入れ、受け止め柱１１のサポートを受ける。
この時、回路デバイス２０両端に接続するコードセット２２、２３は、下殼体１０両端の凹穴１２内にそれぞれ収容され停留する。
しかも、各１本のコードは、凹穴１２を通過後すべて、内側面へと、対応する穿孔１３及びサポート柱１４周辺を巡り、ループ状態を形成する。
こうして、コードセット２２、２３の把持を助け、組み立て結合の堅固性を増強する。
続いて、上蓋体３０を、上から下へと、下殼体１０に被せて蓋をし、これにより上蓋体３０周壁の底縁と下殼体１０周壁の頂縁は、対応接続を達成する。
その過程で、上蓋体３０の多数の受け止め位置制限柱３１は、下殼体１０の空間範囲内に進入し、両側から回路基板２１を支え、確実に定位させる。
同時に、上蓋体３０の助圧片３２は、コードセット２２、２３にそれぞれ対応密着して押さえ、しかも区画棒状突起３２１は、２本のコードが密着する凹位置にちょうど入る。
同時に、上蓋体３０の係止片３３は、コードセット２２、２３の屈折位置にそれぞれ対応して係止する。
しかも、上蓋体３０の各孔柱３４はすべて、下殼体１０の穿孔１３に対応して接続し、同時に上蓋体３０の各サポート柱３５はどれも、下殼体１０のサポート柱１４間に設置され、これによりコードセット２２、２３を押さえつけ、こうして全体の組み立て結合は、より堅固となる。
最後に、結合部材１３１（ボルトなど）を、下から上へと一対一で下殼体１０の穿孔１３に通して設置し、さらに対応する孔柱３４と堅固な結合（螺接など）を達成する。
こうして、コード上スイッチ１の組み立てを完成する。
【００１９】
使用時には、図４、５に示す通り、コード上スイッチ１のプラグ２２１をコンセント４０（壁上コンセントなど）内に挿入して接続し、電源を、コード上スイッチ１の一端に導入し、回路デバイス内に入れる。
コード上スイッチ１のコードセット２３は、電気を用いる物品５０と電気的連接を達成し、給電に備える。
この時、使用者は、（１）手動コントロール作用、或いは（２）ワイヤレス遠距離リモコン作用を選択し、コードセット２２、２３間の電源を導通する。
使用者が（１）手動コントロール作用を選択したなら、上蓋体３０頂面壁体上に設置する手動コントロールボタン３６の正しい操作手段（押す、スライドする、或いは回すなど）を行えば操作でき、回路デバイス２０内の回路メカニズムの作動後、直ちにコードセット２２上の電源をコードセット２３に送り、電気を用いる物品５０に伝導することができる。
これにより、電気を用いる物品５０は作用をオンとし、電気を用いる物品５０がランプであれば、点灯する。
続いて、使用者が手動で手動コントロールボタン３６を再び操作すれば、コードセット２２、２３間の電源伝送を断てば（ＯＰＥＮ）、電気を用いる物品５０は直ちに作用をシャットダウンする。
電気を用いる物品５０がランプなら、消灯する。
【００２０】
使用者が（２）ワイヤレス遠距離リモコン作用を選択したなら、先ず携帯電話端末上でコード上スイッチ１と対応連接するアプリケーションプログラム（ＡＰＰ）をダウンロードする必要がある。
続いて、携帯電話端末上のアプリケーションプログラム（ＡＰＰ）内で操作すると、インターネットを経由して、コード上スイッチ１内のワイヤレス受信回路と連接する。
こうして、使用者は、携帯電話端末を通して、作用をオンにするコントロールシグナルを発信でき、コード上スイッチ１内のワイヤレス受信回路により受信し、回路デバイス２０内の回路メカニズムの作動後、直ちにコードセット２２上の電源をコードセット２３に伝送し、電気を用いる物品５０に伝導する。
こうして、電気を用いる物品５０は作用をオンとし、電気を用いる物品５０がランプなら、点灯する。
次に、使用者が携帯電話端末上で作用をオフにするコントロールシグナルを発信すると、同様に、コード上スイッチ１内のワイヤレス受信回路により受信し、回路デバイス２０内の回路メカニズム作動後、直ちにコードセット２２、２３間の電源伝送を断つ（ＯＰＥＮ）ことができる。
これにより、電気を用いる物品５０は直ちに作用をシャットダウンし、電気を用いる物品５０がランプなら、直ちに消灯する。
【００２１】
本考案の実施形態は本考案を限定するものではなく、よって、本考案により保護される範囲は後述される実用新案登録請求の範囲を基準とする。
【符号の説明】
【００２２】
１  コード上スイッチ
１０  下殼体
１１  受け止め柱
１２  凹穴
１３  穿孔
１３１  結合部材
１４  サポート柱
２０  回路デバイス
２１  回路基板
２２  コードセット
２２１  プラグ
２３  コードセット
３０  上蓋体
３１  受け止め位置制限柱
３２  助圧片
３２１  区画棒状突起
３３  係止片
３４  孔柱
３５  サポート柱
３６  手動コントロールボタン
４０  コンセント
５０  電気を用いる物品
【図１】
0003211265.tif 000003
【図２】
0003211265.tif 000004
【図３】
0003211265.tif 000005
【図４】
0003211265.tif 000006
【図５】
0003211265.tif 000007